(57)【要約】【課題】段ボール製の梱包枠台が潰れても被梱包物が転倒しないようにする。【解決手段】梱包枠台３２は、冷蔵ショーケース１０の底面が当接載置される上板３４と、この上板３４にスペーサ４２,４２を介して対向配置され、床面ＦＬに当接する下板４０と、該冷蔵ショーケース１０の各脚部１２に対応して、上板３４に開設されて脚部１２を収容する孔部３８とを備えている。また、冷蔵ショーケース１０を梱包枠台３２に載置した際に、孔部３８に収容された脚部１２の下端１２ａと床面ＦＬとの間に所要の間隔ｔが設けられる。この間隔ｔは、梱包枠台３２に載置された冷蔵ショーケース１０が、梱包枠台３２の変形により何れかの脚部１２の下端１２ａが床面ＦＬに当接するよう傾いた際に、床面ＦＬに当接した脚部１２の下端１２ａから他の脚部１２の下端１２ａを結ぶ線と床面ＦＬとがなす傾斜角度Ｒが冷蔵ショーケース１０の転倒角度より小さくなるよう設定してある。【選択図】図３
2005247362.tif 000002
【特許請求の範囲】
【請求項１】
段ボールからなる梱包枠台(32)に被梱包物(10)を載置し、結束バンド(48,48)により締着して該被梱包物(10)の底部を保護する梱包構造において、
前記梱包枠台(32)は、
前記被梱包物(10)が、その底面において当接載置される上板(34)と、
床面(FL)に敷かれ、前記上板(34)にスペーサ(42,42)を介して対向的に配置される下板(40)と、
前記被梱包物(10)の底面四隅に突設した各脚部(12)に対応して、前記上板(34)に開設され、該脚部(12)を収容する孔部(38)とを備え、
前記孔部(38)に収容した前記脚部(12)の下端(12a)から床面(FL)までの間隔(t)を、前記梱包枠台(32)に載置された前記被梱包物(10)が、該梱包枠台(32)の変形により何れかの脚部(12)の下端(12a)が床面(FL)に当接するよう傾いた際に、該床面(FL)に当接した脚部(12)の下端(12a)から他の脚部(12)の下端(12a)を結ぶ線と床面(FL)とがなす傾斜角度(R)が被梱包物(10)の転倒角度より小さくなるよう設定した
ことを特徴とする梱包構造。
【請求項２】
前記傾斜角度(R)は、１０°以下に設定される請求項１記載の梱包構造。
【請求項３】
前記上板(34)の端縁部に、該端縁と直交する方向に延在する一対の切込み(34b,34b)を所定間隔離間して設け、前記結束バンド(48,48)を一対の切込み(34b,34b)間に形成されるフラップ(36,36)に当接するよう締着した際に、該フラップ(36,36)が被梱包物(10)に沿って上方に立上がるようにした請求項１記載の梱包構造。
【発明の詳細な説明】
【技術分野】
【０００１】
この発明は、冷蔵ショーケースや冷蔵庫等の重量のある被梱包物の梱包構造に関するものである。
【背景技術】
【０００２】
冷蔵庫やショーケース等の重量のある被梱包物を梱包する場合、図６に示すように、木製の梱包枠台１４に被梱包物である冷蔵ショーケース１０を載置した状態で、該冷蔵ショーケース１０の上側から段ボールケース１６を被せ、該梱包枠台１４と段ボールケース１６とに結束バンド１８,１８を掛渡して締着することで梱包するものが知られている(例えば、特許文献１参照)。前記梱包枠台１４は、前記冷蔵ショーケース１０の底部を保護するのみではなく、梱包品(梱包された冷蔵ショーケース１０)を移動する際に、運搬装置であるフォークリフトやパレットトラック等のフォークが挿入される差込口２０を、冷蔵ショーケース１０と床面ＦＬとの間に画成している。しかし、前記梱包枠台１４は木製であるため、それ自体が重く、梱包作業に際しての運搬が不便で、作業者の負担が大きくなり、作業性に劣る欠点が指摘される。
【０００３】
そこで、木材ではなく段ボールから形成した梱包枠台を用いて梱包する梱包構造が提案されている(例えば、特許文献２参照)。この梱包枠台は、被梱包物の底面を支持する第１の板体と、この第１の板体に対向して床面に当接する第２の板体と、両板体の間に介在してフォークリフト等のフォークが入る差込口を画成するスペーサおよび緩衝材とから構成され、これらの部材は何れも段ボールから形成されている。
【特許文献１】特開平６−３１２７６３号公報
【特許文献２】特開平８−５８８７０号公報
【発明の開示】
【発明が解決しようとする課題】
【０００４】
ところで、段ボールで梱包枠台を形成することで軽量になり、梱包の作業性を向上させることはできるが、段ボール製の梱包枠台は水に弱く、湿気や雨等により濡れた場合、強度が保てず被梱包物の重量に負けて潰れて変形してしまう虞れがある。この場合に、前記梱包枠台が部分的に変形すると、載置されている被梱包物が傾いて倒れる虞れが指摘される。また、結束バンドを巻掛けた際に、梱包枠台が該結束バンドの緊結力に負けて潰れ、結束バンドが緩んでしまうため、被梱包物に結束バンドが摺接して被梱包物を傷付けてしまう難点もあった。
【０００５】
すなわちこの発明は、従来の技術に係る梱包構造に内在する前記問題に鑑み、これらを好適に解決するべく提案されたものであって、梱包枠台が変形しても被梱包物が転倒しない梱包構造を提供することを目的とする。
【課題を解決するための手段】
【０００６】
前記課題を克服し、所期の目的を達成するため、本発明に係る梱包構造は、
段ボールからなる梱包枠台に被梱包物を載置し、結束バンドにより締着して該被梱包物の底部を保護する梱包構造において、
前記梱包枠台は、
前記被梱包物が、その底面において当接載置される上板と、
床面に敷かれ、前記上板にスペーサを介して対向的に配置される下板と、
前記被梱包物の底面四隅に突設した各脚部に対応して、前記上板に開設され、該脚部を収容する孔部とを備え、
前記孔部に収容した前記脚部の下端から床面までの間隔を、前記梱包枠台に載置された前記被梱包物が、該梱包枠台の変形により何れかの脚部の下端が床面に当接するよう傾いた際に、該床面に当接した脚部の下端から他の脚部の下端を結ぶ線と床面とがなす傾斜角度が被梱包物の転倒角度より小さくなるよう設定したことを特徴とする。
【発明の効果】
【０００７】
請求項１に係る梱包構造によれば、梱包枠台に載置された被梱包物が、梱包枠台の変形により何れかの脚部の下端が床面に当接するよう傾いた際に、該床面に当接した脚部の下端から他の脚部の下端を結ぶ線と床面とがなす傾斜角度を被梱包物の転倒角度より小さくなるよう設定することで、梱包枠台を構成する各部材が濡れたり、その他の要因で部分的に変形した場合であっても、被梱包物が転倒角度より大きく傾くことがないから、該被梱包物の転倒を防止することができる。また、被梱包物を本発明に係る梱包構造で梱包した梱包品は、被梱包物の脚部の下端と床面との間が前記間隔分だけ離れているので、該梱包品が落下しても、その部分が緩衝領域として作用し、被梱包物の傷付きを防止し得る。
【０００８】
請求項３に係る梱包構造によれば、上板の端縁部に、該端縁と直交する方向に延在する一対の切込みを所定間隔離間して設け、結束バンドを一対の切込み間に形成されるフラップに当接するよう締着した際に、該フラップが被梱包物に沿って上方に立上がるよう構成することで、結束バンドはフラップを介して被梱包物の底角部に密着的に締着力を加えることになり、結束バンドの緩みが発生し難くなると共に、結束バンドによる傷付きを防止し得る。
【発明を実施するための最良の形態】
【０００９】
次に、本発明に係る梱包構造につき、好適な実施例を挙げて、添付図面を参照して以下に説明する。なお実施例では、被梱包物として冷蔵ショーケースを挙げて説明するが、冷蔵ショーケースに限らず冷蔵庫、冷凍庫または温蔵庫等の貯蔵庫であって、重量のあるものであれば、特に限定されない。また、実施例の冷蔵ショーケースは扉が配設された面を前面とし、後述する梱包枠台の前後および左右方向は、冷蔵ショーケースの前後および左右方向に対応する。ここで、実施例の梱包構造で冷蔵ショーケース等の被梱包物を梱包したものを梱包品と云う。
【実施例】
【００１０】
図１に示すように、被梱包物である冷蔵ショーケース１０は、その内部に図示しない収納室を画成した箱体の前面を扉２２で開閉自在に閉成するように構成され、該箱体の底面における四隅に突設された複数の脚部１２で、床面ＦＬから離間した状態で設置される。実施例の梱包構造は、梱包枠台３２に冷蔵ショーケース１０を載置した状態で、該冷蔵ショーケース１０の上側から段ボールケース４６を被せ、該梱包枠台３２と段ボールケース４６とに結束バンド４８を掛渡して結束することで梱包するようになっている。前記段ボールケース４６は、前記冷蔵ショーケース１０の上面の外形寸法より大きく設定した板体の４辺が下垂して下方に開口する箱状体であって、該冷蔵ショーケース１０の上部を被覆している。
【００１１】
図２に示すように、前記梱包枠台３２は、これを構成する各部材を段ボールで形成した所謂両面型パレットであって、前記冷蔵ショーケース１０の底面が当接載置される上板３４と、床面ＦＬに敷かれ、該上板３４にスペーサ４２,４２を介して対向的に配置される下板４０と、該冷蔵ショーケース１０における底面の四隅に突設した各脚部１２に対応して、上板３４に開設されて、該脚部１２を収容する孔部３８とを備えている。
【００１２】
前記上板３４および下板４０は、対応する前記冷蔵ショーケース１０の底面の外形寸法より大きく設定された矩形状の段ボール板からなり、該上板３４と下板４０とは略同一寸法に設定される。実施例の上板３４は、２枚の段ボール板を積層して形成され、前記冷蔵ショーケース１０の底面に配設された複数の脚部１２の位置に対応して、該脚部１２の挿入を許容する通孔３４ａが穿設され、該上板３４の下方に配設されたスペーサ４２に形成された後述する貫通孔４２ａに夫々整合している。また、前記上板３４の左右の端縁部には、各側縁(端縁)と直交して内方へ向けて所定長で延在すると共に、前後方向に離間した一対の切込み３４ｂ,３４ｂが夫々形成され、同一端縁部の切込み３４ｂ,３４ｂ間に該切込み３４ｂ,３４ｂの終端を基点として上方へ向けて折り曲げることで、該上板３４の載置面から立上がるフラップ３６,３６が形成される(図２参照)。このフラップ３６,３６は、前後に配設される一対のスペーサ４２,４２の間に画成される後述する差込口４４に対応して形成され、前記切込み３４ｂ,３４ｂは、各側縁から該差込口４４の貫通方向内方に向けて延在している。前記上板３４に形成される切込み３４ｂ,３４ｂは、該上板３４に冷蔵ショーケース１０を載置した際に、立上げたフラップ３６,３６が該冷蔵ショーケース１０の対応する側面に沿って当接し得るよう延在長さが設定される。すなわち、前記上板３４は、前記フラップ３６,３６を立上げると、このフラップ３６,３６が位置していた端縁部が、スペーサ４２,４２が位置する端縁部より内方に凹欠した状態になる。なお、前記上板３４および下板４０は、段ボール板を必要に応じて複数枚積層することで強度が調整される。
【００１３】
図３に示すように、向い合う上板３４と下板４０との間に、前後に離間して配設された一対のスペーサ４２,４２は、例えば複数の段ボール板を並べて一体化したブロック体である。前記各スペーサ４２は、その左右方向の寸法が、前記上板３４および下板４０の左右方向の寸法と略同一に設定されている。また、前側のスペーサ４２には、前記上板３４の前側に位置する通孔３４ａ,３４ａに連通する貫通孔４２ａ,４２ａが設けられ、後側のスペーサ４２には、前記上板３４の後側に位置する通孔３４ａ,３４ａに連通する貫通孔４２ａ,４２ａが設けられ、各通孔３４ａから挿入した冷蔵ショーケース１０の脚部１２を、該貫通孔４２ａ内に受容し得るようになっている。すなわち、前記上板３４の通孔３４ａとスペーサ４２の貫通孔４２ａとで、冷蔵ショーケース１０の脚部１２を収容するよう上板３４側で開口する孔部３８が構成される。なお、前記スペーサ４２の前後方向の寸法は、対応する前記上板３４の通孔３４ａ,３４ａを少なくとも覆い得る寸法で、かつ前後のスペーサ４２,４２が離間するように設定される。このように、前記梱包枠台３２の前後方向の略中間部位には、前記上板３４、下板４０および前後のスペーサ４２,４２で左右方向に貫通する差込口４４が画成され、梱包品３０を搬送する際に、この差込口４４を利用して搬送装置であるフォークリフトやパレットトラック等のフォークが挿入される。
【００１４】
前後のスペーサ４２,４２は、同一高さに設定され、前記上板３４を水平状態で支持するようになっている。また、前記梱包枠台３２の高さを規定する前記スペーサ４２の高さは、前記冷蔵ショーケース１０を梱包枠台３２に載置した際に、前記貫通孔４２ａに受容した脚部１２の下端１２ａが床面ＦＬから所要の間隔ｔだけ離間するよう設定されると共に、前記上板３４と下板４０とがフォークリフト等のフォークの挿入を許容する寸法以上で離間するよう設定される。前記間隔ｔは、仮に梱包枠台３２の一側端が潰れて変形し、この一側端に対応する一の脚部１２(何れかの脚部)の下端１２ａが床面ＦＬに当接した状態で、該一側端を傾斜下端として下方傾斜する冷蔵ショーケース１０の底面(床面ＦＬに当接した脚部１２の下端１２ａから他の脚部１２の下端１２ａとを結んだ線)と床面ＦＬとがなす傾斜角度Ｒが、冷蔵ショーケース１０の転倒角度より小さくなるように設定される(図４または図５参照)。ここで、前記冷蔵ショーケース１０の転倒角度とは、該冷蔵ショーケース１０を傾けていった場合、冷蔵ショーケース１０自体が自重により傾斜姿勢を維持できなくなり、バランスを崩して転倒を開始する角度を云う。そして、前記梱包枠台３２が潰れた際になす冷蔵ショーケース１０の傾斜角度Ｒは、１０°以下で、好適には４°以下になるように、傾斜時の上下方向の変位量である脚部１２の下端１２ａと床面ＦＬとの間隔ｔが設定される。
【００１５】
前記冷蔵ショーケース１０は、前記各孔部３８に対応する脚部１２を挿入した状態で、該冷蔵ショーケース１０の底面が上板３４に当接して載置されている。また、前記上板３４の左右のフラップ３６,３６が、前記冷蔵ショーケース１０の対応する側面に沿って夫々立上がっている。そして、前記梱包枠台３２の左右に貫通した差込口４４に挿通し、各フラップ３６,３６に当接している一対の結束バンド４８,４８を、前記冷蔵ショーケース１０の左右方向の外周および該冷蔵ショーケース１０の上部を覆う段ボールケース４６に巻掛けて締着して、実施例の梱包構造で梱包された梱包品３０が構成される(図１参照)。なお、前記結束バンド４８,４８は、前記差込口４４の前側および後側に離間して夫々巻掛けられる。
【００１６】
〔実施例の作用〕
次に、実施例に係る梱包構造の作用について説明する。前記冷蔵ショーケース１０が載置される梱包枠台３２は、段ボール製で軽量であるので、梱包作業に際しての運搬は容易で、作業者の負担を少なくし得ると共に作業性が良好となる。また、前記梱包枠台３２の上板３４に冷蔵ショーケース１０を載置し、該冷蔵ショーケース１０の底面と上板３４が当接するよう構成したから、フォークリフト等による運搬に際し、該梱包枠台３２の差込口４４に差し込まれたフォークが冷蔵ショーケース１０の底面に直接接触することなく、該底面が傷付くのを防止することができる。前記冷蔵ショーケース１０の底面と上板３４が当接しているので、前記差込口４４から挿入されたフォークにより梱包品３０を持ち上げる際に、該冷蔵ショーケース１０の重量をフォークで直接受けるから、該上板３４に強度がなくてもフォークが上板３４を突き破ることがない。すなわち、前記冷蔵ショーケース１０を梱包枠台３２に載置した際の重量は、前記スペーサ４２,４２で支持され、運搬時の重量も上板３４で支持することがないので、必要とされる上板３４の強度を最低限に抑えることができ、コストが低減する利点がある。しかも、前記冷蔵ショーケース１０の脚部１２は、前記孔部３８に収容されて前記差込口４４には突出しないから、運搬に際して脚部１２の損傷等も防止し得る。
【００１７】
更に、前記梱包枠台３２において、前記冷蔵ショーケース１０の脚部１２の下端１２ａと床面ＦＬとの間に間隔ｔを設けたことにより、落下事故等に際して該間隔ｔの部分が緩衝領域として作用するから、該冷蔵ショーケース１０への落下によるダメージは大幅に改善される。前記冷蔵ショーケース１０を保護する梱包枠台３２および段ボールケース４６等の梱包材料の全てを、同一材質(段ボール)としたから、材料費を低減することができ、梱包コストを大幅に低減することができる。しかも、梱包材料の分別は必要ないから廃棄処理が容易となり、廃棄コストを低廉にし得ると共に作業時間の短縮が可能となる。
【００１８】
そして、前記孔部３８に収容した前記冷蔵ショーケース１０における脚部１２の下端１２ａと床面ＦＬとの間の間隔ｔは、何れかの脚部１２の下端１２ａが床面ＦＬに当接した際に、床面ＦＬに当接した脚部１２側を傾斜下端として下方傾斜する冷蔵ショーケース１０の底面(床面に当接した脚部１２の下端１２ａと他の脚部１２の下端１２ａとを結んだ線)と床面ＦＬとがなす傾斜角度Ｒが、冷蔵ショーケース１０の転倒角度より小さくなる寸法に設定されているから、雨天等により地面が濡れている場所に置かれて濡たり、前記梱包枠台３２を構成する段ボール自体が吸湿したり、その他の要因で該梱包枠台３２の一側部が冷蔵ショーケース１０の重量に負けて潰れて変形した場合においても、傾いた冷蔵ショーケース１０は、該冷蔵ショーケース１０の転倒角度以上に傾斜しないから転倒することはない。すなわち、前記梱包枠台３２の材料として段ボールを採用することで危惧される濡れ等に起因する構成部材の強度の低下による該梱包枠台３２の圧潰に際して、梱包品３０の転倒が回避されるから、段ボールに別段の防水処理等を施す必要がなく、コストの増加を防止し得る。
【００１９】
前記上板３４に前記冷蔵ショーケース１０の側面に対応して立上がるフラップ３６,３６を夫々設けることで、該フラップ３６,３６が冷蔵ショーケース１０の左右の側面に当接して梱包枠台３２における左右の位置決めを容易に実施できる。また、前記フラップ３６,３６は、前記冷蔵ショーケース１０の側面に密着的に立上がり、前記結束バンド４８,４８を巻掛けた際に、該結束バンド４８,４８と冷蔵ショーケース１０の底角部とが直接摺接しないよう保護しているから、結束バンド４８,４８による傷付きを防止できる。そして、前記冷蔵ショーケース１０の側面に密着的に立上がっているフラップ３６,３６に結束バンド４８,４８が当接するよう巻掛けてあるので、結束バンド４８,４８の当接部分が潰れて、結束バンド４８,４８が緩むことはなく、締着力が向上する。更に、前記フラップ３６,３６は、前記上板３４に切込み３４ｂ,３４ｂを入れて、該上板３４の一部を上方に折り曲げることで形成されているので、該上板３４における他の部位(スペーサ４２,４２が配設された部分)は、冷蔵ショーケース１０の外壁面から外方に突出しており、該冷蔵ショーケース１０の壁面は傷付き難くなっている。
【００２０】
実施例では、前後に離間させて一対のスペーサ４２,４２を配設するよう構成したが、これに限定されず、左右に離間して一対のスペーサ４２,４２を配設する構成も採用し得る。この場合は、前記フラップ３６,３６を、冷蔵ショーケース１０の前面および後面に対応して立上げ、結束バンド４８,４８を前後に貫通する差込口４４に挿通して冷蔵ショーケース１０における前後方向の外周に巻掛けて締結する構成となる。
【００２１】
また実施例では、梱包枠台３２に載置した冷蔵ショーケース１０が、該梱包枠台３２の一部の変形により傾いた際に転倒しないように、梱包枠台３２の孔部３８に収容した冷蔵ショーケース１０における脚部１２の下端１２ａと床面ＦＬとの間の間隔ｔを、前述した通りに設定するものにおいて、更に上板３４にフラップ３６,３６を設ける場合で説明したが、該フラップ３６,３６を設ける構成に関しては、前記冷蔵ショーケース１０の転倒を防止する構成と併用することなく単独で採用するものであってもよい。すなわち、段ボールからなる梱包枠台３２に被梱包物である冷蔵ショーケース１０を載置し、結束バンド４８,４８により締着して該冷蔵ショーケース１０の底部を保護する梱包構造において、上板３４の端縁部に、該端縁と直交する方向に延在する一対の切込み３４ｂ,３４ｂを所定間隔離間して設け、前記結束バンド４８,４８を一対の切込み３４ｂ,３４ｂ間に形成されるフラップ３６,３６に当接するよう締着した際に、該フラップ３６,３６が冷蔵ショーケース１０に沿って上方に立上がるよう構成するものであってもよい。そして、この構成によれば、前述した如く結束バンド４８,４８はフラップ３６,３６を介して冷蔵ショーケース１０の底角部に密着的に締着力を加えることになり、結束バンド４８,４８の緩みが発生し難くなると共に、結束バンド４８,４８による傷付きを防止する効果が得られ、結束バンド４８,４８が緩み難い梱包構造を提供する目的を達成し得るものである。
【図面の簡単な説明】
【００２２】
【図１】本発明の好適な実施例に係る冷蔵ショーケースの梱包構造を示し、(ａ)は正面図、(ｂ)は側面図である。
【図２】実施例の冷蔵ショーケースの梱包構造における梱包枠台を示す概略斜視図である。
【図３】実施例の冷蔵ショーケースの梱包構造における梱包枠台を示す側面図である。
【図４】実施例の梱包枠台の前端部が潰れた状態を示す側面図である。
【図５】実施例の梱包枠台の一方の側端部が潰れた状態を示す正面図である。
【図６】従来の冷蔵ショーケースの梱包構造を示し、(ａ)は正面図、(ｂ)は側面図である。
【符号の説明】
【００２３】
１０ 冷蔵ショーケース(被梱包物)，１２ 脚部 ,１２ａ 下端，３２ 梱包枠台，
３４ 上板，３４ｂ 切込み，３６ フラップ，３８ 孔部，４２ スペーサ，４０ 下板，
４８ 結束バンド，ＦＬ 床面，Ｒ 傾斜角度，ｔ 間隔
【図１】
2005247362.tif 000003
【図２】
2005247362.tif 000004
【図３】
2005247362.tif 000005
【図４】
2005247362.tif 000006
【図５】
2005247362.tif 000007
【図６】
2005247362.tif 000008